(57)【要約】      （修正有）【課題】横向きの駆動軸に固着された回転ケースに苗植体を設け，この苗植体を，前記回転ケースにおける一回の公転中に逆方向に一回だけ自転して上下に往復動し，且つ，前記苗植体の自転をその往復動のうち下死点前後付近において遅らせるようにしたロータリー式苗植付け機構において，疎植仕様を密植仕様に，また、密植仕様を疎植仕様に容易に変更することができるようにする。【解決手段】駆動軸１３への動力伝達の途中に，主動伝達輪体３９と，この主動伝達輪体から動力伝達される従動伝達輪体４０とを設け，これら両伝達輪体を，回転ケース１４の回転を苗植体１８の下死点前後付近において遅らせるか又は進ませるように回転中心を偏芯した伝達輪体に構成し，更に，前記両伝達輪体を，その各々が装着される軸３７，８ｄに対して，前記回転ケースの回転をその苗植体の下死点前後付近において進ませるか又は遅らせるように裏返して装着できる構成にする。【選択図】図３
2006129751.tif 000002
【特許請求の範囲】
【請求項１】
動力源からの動力伝達にて回転する横向きの駆動軸に回転ケースを固着し，この回転ケースのうち前記駆動軸を中心とする円周上に少なくとも等分二箇所の部位に分割爪を備えた苗植体を設ける一方，前記回転ケースに，当該回転ケースにおける一回の公転中に前記各苗植体を逆方向に一回だけ自転して前記各苗植体を上下に往復動し，且つ，前記各苗植体における自転をその往復動のうち下死点前後付近において遅らせるようにした不等速連動機構を設けて成るロータリー式苗植付け機構において，
前記動力源から前記駆動軸への動力伝達の途中に，前記動力源側の主動伝達輪体と，前記駆動軸側で前記主動伝達輪体から動力伝達される従動伝達輪体とを設け，これら両伝達輪体を，前記回転ケースの回転をその苗植体の下死点前後付近において遅らせるか又は進ませるように回転中心を偏芯した伝達輪体に構成し，更に，前記両伝達輪体を，その各々が装着される軸に対して，前記回転ケースの回転をその苗植体の下死点前後付近において進ませるか又は遅らせるように裏返して装着できる構成にしたことを特徴とする田植機におけるロータリー式苗植付け機構。
【請求項２】
前記請求項１の記載において，前記両伝達輪体が，その間にチエンを巻掛けて成るスプロケットであるか，或いは，その間に無端ベルトを巻掛けて成るプーリであることを特徴とする田植機におけるロータリー式苗植付け機構。
【請求項３】
前記請求項１の記載において，前記両伝達輪体が，互いに噛合する歯車であることを特徴とする田植機におけるロータリー式苗植付け機構。
【発明の詳細な説明】
【技術分野】
【０００１】
本発明は，田植機において，一つの回転ケースに，分割爪を備えた苗植体を少なくとも二つ設けて，この各苗植体を，当該苗植体が苗載台の方向を向いた姿勢のまま前記回転ケースの回転によって苗載台と圃場面との間を上下に往復動するように構成して成るロータリー式の苗植付け機構に関するものである。
【背景技術】
【０００２】
この種のロータリー式苗植付け機構は，例えば，特許文献１等に記載されているように，田植機における伝動ケースに横向きに軸支した駆動軸に回転ケースを固着し，この回転ケースのうち前記駆動軸を中心とする円周上に少なくとも等分二箇所の部位に分割爪を備えた苗植体を設ける一方，前記回転ケースに，当該回転ケースにおける一回の公転中に前記各苗植体を逆方向に一回だけ自転するようにした連動機構を設けて，前記各苗植体を，その分割爪が苗載台の方向を向いた姿勢で苗載台と圃場面との間を往復動するに際して，前記連動機構を，前記各苗植体における自転を，当該苗植体における下死点前後付近において遅らせるという不等速連動機構することにより，前記各苗植体における分割爪が上下方向に長い楕円形の閉ループの運動軌跡を描くように構成している。
【０００３】
また，前記ロータリー式苗植付け機構を備えた田植機による田植え作業に際しては，圃場面における３．３平方メートル当たりの植付け株数を６０〜９０株にした密植にする場合と，圃場面における３．３平方メートル当たりの植付け株数を３７〜５０株にした疎植にする場合がある。
【０００４】
この場合，前者の密植作業は，前記回転ケースの回転数を田植機における前進走行速度に対して相対的に早くすることによって，また，後者の疎植作業は，前記回転ケースの回転数を田植機における前進走行速度に対して相対的に前者の場合よりも遅くすることによって行うようにしていることは周知の通りである。
【特許文献１】特開２０００−１３９１４６号公報
【発明の開示】
【発明が解決しようとする課題】
【０００５】
しかし，前記ロータリー式苗植付け機構においては，その回転ケースにおける不等速連動機構による上下に長い楕円形閉ループの運動軌跡を，前者の密植作業に合わせて設定すると，前記回転ケースの回転数を田植機における前進走行速度に対して相対的に遅くすることで後者の疎植作業にした場合に，分割爪における苗植付け後における圃場面からの上昇抜けが遅れて，当該分割爪が圃場面に進入した状態で引きずられることにより，圃場面には植付け苗の前側に大きな掘り起こし孔があくことになる。
【０００６】
また，前記不等速連動機構による上下に長い楕円形閉ループの運動軌跡を，後者の疎植作業に合わせて設定すると，前記回転ケースの回転数を田植機における前進走行速度に対して相対的に早くすることで前者の密植作業にした場合に，分割爪における苗植付け後における圃場面からの上昇抜けが早くなり過ぎて，当該分割爪にて泥土を後ろ方向にはね上げることにより，圃場面には植付け苗の後ろ側に大きな掘り起こし孔があくことになる。
【０００７】
そして，前記ロータリー式苗植付け機構において，植付け苗の前後における掘り起こし孔を可及的に小さくするためには，その不等速連動機構による上下に長い楕円形閉ループの運動軌跡を，前者の密植作業に合わせて設定した密植仕様のものと，後者の疎植作業に合わせて設定した疎植仕様のものとの二種類を製作するようにしなければならない。
【０００８】
しかし，このように，ロータリー式苗植付け機構を，その不等速連動機構を代えて二種類にすることは，当該苗植付け機構を製造するときにおいて，部品の点数が増大するばかりか，部品管理の手数及び部品組み立て手数の増大を招来するという問題がある。
【０００９】
本発明は，この問題を，簡単な機構によって解消することを技術的課題とするものである。
【課題を解決するための手段】
【００１０】
この技術的課題を達成するため本発明の請求項１は，
「動力源からの動力伝達にて回転する横向きの駆動軸に回転ケースを固着し，この回転ケースのうち前記駆動軸を中心とする円周上に少なくとも等分二箇所の部位に分割爪を備えた苗植体を設ける一方，前記回転ケースに，当該回転ケースにおける一回の公転中に前記各苗植体を逆方向に一回だけ自転して前記各苗植体を上下に往復動し，且つ，前記各苗植体における自転をその往復動のうち下死点前後付近において遅らせるようにした不等速連動機構を設けて成るロータリー式苗植付け機構において，
前記動力源から前記駆動軸への動力伝達の途中に，前記動力源側の主動伝達輪体と，前記駆動軸側で前記主動伝達輪体から動力伝達される従動伝達輪体とを設け，これら両伝達輪体を，前記回転ケースの回転をその苗植体の下死点前後付近において遅らせるか又は進ませるように回転中心を偏芯した伝達輪体に構成し，更に，前記両伝達輪体を，その各々が装着される軸に対して，前記回転ケースの回転をその苗植体の下死点前後付近において進ませるか又は遅らせるように裏返して装着できる構成にした。」
ことを特徴としている。
【発明の効果】
【００１１】
この構成において，両伝達輪体を，その各々の軸に対して，前記回転ケースの回転をその苗植体の下死点前後付近において遅らせるようにして装着した場合において，回転ケースの回転数を田植機における前進走行速度に対して相対的に早くするという密植作業にしたとき，分割爪における苗植付け後における圃場面からの上昇抜けが遅くなって，当該分割爪による泥土の後ろ方向へのはね上げが少なくなるから，密植作業に適合する。
【００１２】
そして，この密植作業に適合する状態から，前記両伝達輪体を，その各々の軸に対して，前記回転ケースの回転をその苗植体の下死点前後付近において進ませるように裏返して装着することにより，回転ケースの回転数を田植機における前進走行速度に対して相対的に遅くするという疎植作業にしたとき，分割爪における苗植付け後における圃場面からの上昇抜けが早くなって，当該分割爪による圃場面の引きずりの距離が少なくなるから，疎植作業に適合する。
【００１３】
また，両伝達輪体を，その各々の軸に対して，前記回転ケースの回転をその苗植体の下死点前後付近において進ませるようにして装着した場合において，回転ケースの回転数を田植機における前進走行速度に対して相対的に遅くするという疎植作業にしたとき，分割爪における苗植付け後における圃場面からの上昇抜けが早くなって，当該分割爪による圃場面の引きずり距離が少なくなるから，疎植作業に適合する。
【００１４】
そして，この疎植作業に適合する状態から，前記両伝達輪体を，その各々の軸に対して，前記回転ケースの回転をその苗植体の下死点前後付近において遅らせるように裏返して装着することにより，回転ケースの回転数を田植機における前進走行速度に対して相対的に早くするという密植作業にしたとき，分割爪における苗植付け後における圃場面からの上昇抜けが遅くなって，当該分割爪による泥土の後ろ方向へのはね上げが少なくなるから，密植作業に適合する。
【００１５】
つまり，本発明によると，前記両伝達輪体を，その各々の軸に対して裏返して装着することによって，一つのロータリー式苗植付け機構を，当該ロータリー式苗植付け機構における不等速連動機構を代えることなく，密植仕様から疎植仕様に，又は，疎植仕様から密植仕様に変更することができる。
【００１６】
従って，本発明によると，ロータリー式苗植付け機構を製造する場合において，従来の場合によりも，部品の点数を大幅に少なくできるとともに，部品管理の手数及び部品組み立て手数を大幅に低減できる。
【発明を実施するための最良の形態】
【００１７】
以下，本発明の実施の形態を，乗用型の多条植え田植機に適用した場合の図面について説明する。
【００１８】
図において，符号１は，８条植えの乗用型田植機を示し，この田植機１は，左右一対の前輪３及び後輪４にて支持された走行機体２と，この走行機体２の後部に昇降可能に装着した苗植装置５とを備えて，前記走行機体２には，エンジン６が搭載されるとともに，操縦座席７が設けられ，矢印Ａで示す方向に前進走行するように構成されている。
【００１９】
前記苗植装置５は，前記エンジン６から動力伝達される伝動ケース８と，この伝動ケース８に横方向に適宜の条間隔で並列に配設した８個のロータリー式苗植付け機構９と，左右往復移動するように後方下向き傾斜配設された苗載台１０と，前記各苗植付け機構９の間において圃場面１１の表面を滑走するように配設した複数個のフロート１２とによって構成されている。
【００２０】
前記伝動ケース８は，図３及び図４に示すように，前記エンジン６からの動力入力軸８ａを備えた第１ケース８ｂと，この第１ケース８ｂから横方向に延びるパイプ状の第２ケース８ｃと，この第２ケース８ｃから横方向に適宜間隔を隔てて後方に延びる四つの第３ケース８ｄとから成り，前記各苗植付け機構９は，前記各第３ケース８ｄの後端に水平横向きに軸支した駆動軸１３の左右両端に取付けられる一方，前記第２ケース８ｃ内には，前記各第３ケース８ｄにおける駆動軸１３に軸８ｆを介して動力伝達するための伝達軸８ｅが設けられ，また，前記第１ケース８ｂ内には，前記動力入力軸８ａから傘歯車機構３８を介して動力伝達される主動軸３７と，この主動軸３７から前記伝達軸８ｅへの動力伝機構３６が設けられている。
【００２１】
一方，前記各苗植付け機構９は，図５〜図７に示すように構成されている。
【００２２】
すなわち，前記駆動軸１３のうち前記第３ケース８ｄから突出する両端には，側面視小判型の回転ケース１４を着脱可能に固着して，この回転ケース１４を，前記駆動軸１３によって田植機１の側面視において矢印Ｂで示すように，反時計方向に回転するもので，この回転ケース１４内における前記駆動軸１３上には，太陽歯車１５が回転自在に被嵌され，該太陽歯車１５は，前記伝動ケース８に対して連結部材３５を介して回転不能に係止されている。
【００２３】
前記回転ケース１４の外周部，つまり，左右両端部には，前記駆動軸１３からの距離が等しい位置に，後述する押し出し具用の作動軸１６が駆動軸１３と平行に軸支されている。また，前記回転ケース１４内における両作動軸１６上には，中空状の植付け軸１７が回転自在に被嵌されている。
【００２４】
この植付け軸１７及び前記作動軸１６の各端部を回転ケース１４の側面から外に突出して，この各植付け軸１７の突出端の各々に，アルミ合金等の軽合金にて上面に開放するように中空状にした苗植体１８をボルト１９にて取付け，この各苗植体１８の先端におけるボス部１８ａには，分割爪２０が前記苗載台１０に向かう姿勢位置にして固着されている一方，前記作動軸１６の先端は，前記苗植体１８の中空部内に突出して，この部分に，押し出し作動用のカム２１が固着されており，前記苗植体１８の上面には，当該苗植体１８内を密封するための蓋体３３が取付けられている。
【００２５】
そして，前記各植付け軸１７上には，前記太陽歯車１５と同歯数の遊星歯車２２が嵌着されている一方，前記回転ケース１４内には，前記太陽歯車１５と前記遊星歯車２２とに同時に噛合する中間歯車２３を設けて，歯車列機構を構成して，この歯車列機構にて，前記回転ケース１４における反時計方向の一回転中に，前記各植付け軸１７を時計方向に一回転することにより，前記各苗植体１８を，その分割爪２０が苗載台１０に向かう姿勢を保持した状態で，前記苗載台１０と圃場面１１との間を往復動するように構成している。
【００２６】
この場合，前記歯車機構を構成する前記太陽歯車１５，前記遊星歯車２２及び前記中間歯車２３を例えば特公昭６３−２０４８６号公報及び特開昭６３−７４４１３号公報等に記載されているように偏芯歯車等の非円形歯車に構成することにより，前記各苗植体１８における分割爪２０の先端が，図５に図示したように，上下方向に長い楕円状閉ループの運動軌跡２４を描くように構成している。
【００２７】
前記各苗植体１８におけるボス部１８ａには，押し出し具を構成する押し出し軸２５が，前記分割爪２０の長手方向と平行に延びる軸線方向に摺動自在に貫通するように設けられ，その下端には断面Ｕ字状にした押し出し片２６が，前記分割爪２０の後面に近接するように固定されており，前記押し出し軸２５の上端は苗植体１８内に突出され，この押し出し軸２５の上端に，前記苗植体１８内に上下方向に揺動回動するようにピン２７にて枢着して成る押し出しレバー２８の先端が，当該押し出しレバー２８における下向き回動により前記押し出し軸２５が分割爪２０の先端部に向かう方向に前進動し，当該押し出しレバー２８における上向き回動により前記押し出し軸２５が分割爪２０の先端部から根元部の方向に後退動するように，連結片３４を介して連結されている。
【００２８】
また，前記苗植体１８内には，前記押し出しレバー２８を下向き方向に付勢するばね手段２９が，前記押し出しレバー２８と蓋体３３との間に設けられている一方，前記押し出しレバー２８における基端を，前記押し出し作動用カム２１の外周面に接当することにより，前記回転ケース１４の回転に連動して，前記各苗植体１８における分割爪２０の先端が回転ケース１４の回転に伴ってその往復動のうち下降下限における下死点の近傍に来たとき，前記押し出しレバー２８が前記ばね手段２９の押圧付勢によって下向きに回動し，各苗植体１８が回転ケース１４の回転に伴ってその往復動のうち下死点から上昇動するとき，前記押し出しレバー２８が前記ばね手段２９に抗して上向きに回動するように構成している。
【００２９】
更にまた，前記苗植体１８における底面板１８ｂには，苗植体１８内に突出するボス部３１を一体的に設け，このボス部３１内に，ゴム等の軟質弾性体３２を，着脱可能に装填して，この軟質弾性体３２の上面に，前記押し出しレバー２８がその下向き回動の終端において接当するように構成する。
【００３０】
そして，前記伝動ケース８のうち第１ケース８ｂ内における前記動力伝達機構３６を，図３，図４，図８及び図９に示すように，前記動力入力軸８ａ側の主動軸３７に着脱可能に被嵌・装着した主動伝達輪体としての主動スプロケット３９と，前記伝達軸８ｅに着脱可能に被嵌・装着した従動伝達輪体としての従動スプロケット４０と，これら両スプロケット３９，４０に対して巻掛けしたチエン４１とで構成し，前記両スプロケット３９，４０を，その各々が被嵌・装着される軸３７，８ｅに対して，裏返して被嵌・装着できるように構成する。
【００３１】
更に，前記両スプロケット３９，４０を，その回転中心Ｏを適宜寸法ｅだけ偏芯した偏芯スプロケットに構成することにより，当該両スプロケット３９，４０を，図８に示すように，裏返さないとき，前記回転ケース１４の回転をその苗植体１８の下死点前後付近において遅らせる一方，当該両スプロケット３９，４０を，図９に示すように，裏返したとき，前記回転ケース１４の回転をその苗植体１８の下死点前後付近において進ませるように構成する。
【００３２】
なお，前記両スプロケット３９，４０における裏返しは，その回転中心Ｏを通って前記偏芯方向と直角方向に延びる軸線３９ａ，４０ａを回転中心にして行う。
【００３３】
この構成において，回転ケース１４の矢印Ｂ方向への公転回転に伴って，その公転の回転角度と同じ回転角度だけ矢印Ｂ方向とは逆向きの方向に植付け軸１７を中心として苗植体１８が自転するから，各苗植体１８は，その分割爪２０が苗載台１０の方向を向いた状態で上下方向に往復動するように旋回運動することになり，この旋回運動中において，苗載台１０の上面に面する側において上から下に下降するとき，先端の分割爪２０にて苗載台１０上の苗マット３０から苗を一株だけ分割したのち，この一株の苗を，その下降下限の下死点近傍において分割爪２０の先端が圃場面１１中に進入する。
【００３４】
このとき，前記苗植体１８内における押し出しレバー２８が，ばね手段２９のはね力にて下向きに回動することにより，押し出し片２６が分割爪２０の先端に向かって前進動するから，前記分割爪２０の先端における一株の苗は，押し出されるようにして圃場面１１に植付けられる。
【００３５】
この苗の植付けが終わると，前記押し出し片２６が後退動すると同時に，分割爪２０は，圃場面１１より抜けるように上昇動する。
【００３６】
そして，この田植え作業を，３．３平方メートル当たりの植付け株数を８０株，７０株又は６０株にするという密植にして行う場合には，前記回転ケース１４における回転数を田植機１における矢印Ａ方向への前進走行速度に対して相対的に早くすることによって行う。
【００３７】
この密植作業に際しては，前記動力伝達機構３６における両スプロケット３９，４０を図８に示すように，裏返さない状態にすることにより，前記回転ケース１４の回転がその苗植体１８の下死点前後付近において遅くなり，ひいては，各苗植体１８の分割爪２０における苗植付け後における圃場面１１からの上昇抜けが遅くなるから，前記田植機１を前進走行した場合に分割爪２０の先端が描く走行運動軌跡は，図１０に実線で示すように，９０株のとき符号２４ａで示す曲線に，８０株のとき符号２４ｂで示す曲線に，そして，６０株のとき符号２４ｃで示す曲線になり，当該分割爪２０による泥土の前方向へのはね上げが少なくなるから，密植作業に適合する。
【００３８】
次いで，田植え作業を，３．３平方メートル当たりの植付け株数を５０株，４０株又は３７株にするという疎植にして行う場合には，前記回転ケース１４における回転数を田植機１における矢印Ａ方向への前進走行速度に対して相対的に遅くすることによって行うのであるが，前記動力伝達機構３６における両スプロケット３９，４０が前記したままの状態であると，各苗植体１８の分割爪２０における苗植付け後における圃場面１１からの上昇抜けが遅くなるから，前記分割爪２０が圃場面１１に進入した状態で引きずられる距離が大きくなる。
【００３９】
そこで，疎植作業にする場合には，前記動力伝達機構３６における両スプロケット３９，４０を，図９に示すように，裏返して装着する。
【００４０】
このようにすることにより，前記回転ケース１４の回転がその苗植体１８の下死点前後付近において早くなり，ひいては，各苗植体１８の分割爪２０における苗植付け後における圃場面１１からの上昇抜けが早くなるから，前記田植機１を前進走行した場合に分割爪２０の先端が描く走行運動軌跡は，図１０に点線で示すように，５０株のとき符号２４ｄで示す曲線に，４０株のとき符号２４ｅで示す曲線に，そして，３７株のとき符号２４ｆで示す曲線になり，当該分割爪２０がる圃場面１１に進入した状態で引きずられる距離が少なくなるから，密植作業に適合する。
【００４１】
つまり，前記した構成にすることにより，密植仕様の苗植付け機構９を，前記両スプロケット３９，４０の裏返し装着によって，疎植仕様に変更することができるのである。
【００４２】
また，この場合，前記両スプロケット３９，４０における回転中心Ｏの偏芯方向を，図面と逆方向にすることにより，前記回転ケース１４の回転をその苗植体１８の下死点前後付近において進ませるという疎植仕様にし，この疎植仕様を，前記両スプロケット３９，４０の裏返し装着によって，前記回転ケース１４の回転をその苗植体１８の下死点前後付近において遅らせるという密植仕様に変更するように構成しても良いのである。
【００４３】
ところで，前記実施の形態は，特許請求の範囲における主動伝達輪体及び従動伝達輪体をスプロケット３９，４０にした場合を示したが，本発明は，このスプロケット３９，４０に代えて，無端ベルトを巻掛けしたプーリに構成しても良い。
【００４４】
また，前記動力伝達機構３６における主動伝達輪体及び従動伝達輪体を，図１１に示すように，互いに噛合する歯車３９′，４０′にして，この両歯車３９′，４０′を，その回転中心Ｏ′を適宜寸法ｅだけ偏芯した偏芯歯車に構成することにより，当該両歯車３９′，４０′を裏返さないとき，前記回転ケース１４の回転をその苗植体１８の下死点前後付近において遅らせるか又は進ませる一方，当該両歯車３９′，４０′を裏返したとき，前記回転ケース１４の回転をその苗植体１８の下死点前後付近において進ませるか又は遅らせるように構成することができる。
【００４５】
なお，この両歯車３９′，４０′の裏返し装着においても，前記両スプロケット３９，４０の裏返しと同様に，その回転中心Ｏ′を通って前記偏芯方向と直角方向に延びる軸線３９ａ′，４０ａ′を回転中心にして行うことはいうまでもない。
【００４６】
また，このように，主動伝達輪体及び従動伝達輪体を，図１１に示すように，偏芯した歯車３９′，４０′に構成した場合においても，その両歯車３９′，４０′における回転中心Ｏ′の偏芯方向を，図１１の図面と逆方向にすることにより，前記回転ケース１４の回転をその苗植体１８の下死点前後付近において進ませるという疎植仕様にし，この疎植仕様を，前記両スプロケット３９，４０の裏返し装着によって，前記回転ケース１４の回転をその苗植体１８の下死点前後付近において遅らせるという密植仕様に変更するように構成しても良いことは勿論である。
【図面の簡単な説明】
【００４７】
【図１】乗用型田植機の側面図である。
【図２】乗用型田植機の平面図である。
【図３】図１における苗植装置の拡大側面図である。
【図４】図３のIV−IV視断面図である。
【図５】前記苗植装置における苗植付け機構の拡大側面図である。
【図６】図５のVI−VI視拡大断面図である。
【図７】図６のVII −VII 視拡大断面図である。
【図８】密植作業にした状態を示す図である。
【図９】疎植作業にした状態を示す図である。
【図１０】圃場面に対する走行運動軌跡を示す図である。
【図１１】別の実施の形態を示す図である。
【符号の説明】
【００４８】
１                  田植機
２                  走行機体
３，４              車輪
５                  苗植装置
８                  伝動ケース
９                  苗植付け機構
１０                苗載台
１１                圃場面
１２                フロート
１３                駆動軸
１４                回転ケース
１８                苗植体
２０                分割爪
２１                押し出し作動用カム
２５                押し出し軸
２６                押し出し片
２８                押し出しレバー
８ａ                動力入力軸
８ｅ                伝達軸
３６                動力伝達機構
３７                主動軸
３８，４０          スプロケット（伝達輪体）
４１                チエン
【図１】
2006129751.tif 000003
【図２】
2006129751.tif 000004
【図３】
2006129751.tif 000005
【図４】
2006129751.tif 000006
【図５】
2006129751.tif 000007
【図６】
2006129751.tif 000008
【図７】
2006129751.tif 000009
【図８】
2006129751.tif 000010
【図９】
2006129751.tif 000011
【図１０】
2006129751.tif 000012
【図１１】
2006129751.tif 000013